(57)【特許請求の範囲】
【請求項１】
アクセスサービスネットワークゲートウェイが、
移動局のサービスをマクロ基地局にハンドオーバーするフェムト基地局のハンドオーバー要求を受け取る段階と、
前記フェムト基地局の識別情報を受け取る段階と、
前記フェムト基地局の識別情報を前記移動局と関連づけて関連情報を生成する段階と、
前記フェムト基地局の識別情報と前記関連情報を記憶する段階と、
前記フェムト基地局が、ハンドオーバーコンファメーションメッセージを生成する段階と、を有し、
前記ハンドオーバーコンファメーションメッセージは、前記フェムト基地局の識別情報とＰＨＹパラメータ、及び前記関連情報と前記フェムト基地局の識別情報とを記憶するオペレーションコードとを含む、方法。
【請求項２】
前記フェムト基地局の識別情報は前記フェムト基地局に関連するＰＨＹパラメータを含む、請求項１に記載の方法。
【請求項３】
前記フェムト基地局の識別情報と前記関連情報とをアクセスサービスネットワークゲートウェイに記憶する、請求項１に記載の方法。
【請求項４】
前記フェムト基地局の識別情報と前記関連情報とを前記マクロ基地局に記憶する、請求項１に記載の方法。
【請求項５】
アクセスサービスネットワークゲートウェイが、
マクロ基地局にハンドオーバーされる移動局のハンドオーバー要求を受け取る段階と、
前記移動局の識別情報を受け取る段階と、
前記移動局の識別情報を、フェムト基地局の識別情報と一移動局の識別情報とを含む記憶された関連情報と比較する段階と、
前記記憶された関連情報を用いて、前記移動局の識別情報が、関連づけられた移動局の識別情報と一致するか判断する段階と、
前記関連づけられたフェムト基地局に関する情報を、前記関連づけられた移動局に送信する段階と、
ハンドオーバーコンファメーションメッセージを生成する段階と、を含み、
前記ハンドオーバーコンファメーションメッセージは、前記フェムト基地局の識別情報とＰＨＹパラメータ、及び前記識別情報と前記フェムト基地局のＰＨＹパラメータとを送信するオペレーションコードとを含む、方法。
【請求項６】
前記マクロ基地局が、
前記フェムト基地局の識別情報とＰＨＹパラメータとを含む隣接アドバタイズメントメッセージを前記関連づけられた移動局に送信する段階と、をさらに含む請求項５に記載の方法。
【請求項７】
第１のアクセスサービスネットワークゲートウェイを有するワイヤレス通信システムであって、
前記第１のアクセスサービスネットワークゲートウェイは、
移動局のサービスをマクロ基地局にハンドオーバーするフェムト基地局のハンドオーバー要求を受け取り、
前記フェムト基地局の識別情報を受け取り、
前記フェムト基地局の識別情報を前記移動局と関連づけて関連情報を生成し、
前記フェムト基地局の識別情報と前記関連情報を記憶し、
前記フェムト基地局が、ハンドオーバーコンファメーションメッセージを生成し、
前記ハンドオーバーコンファメーションメッセージは、前記フェムト基地局の識別情報とＰＨＹパラメータ、及び前記関連情報と前記フェムト基地局の識別情報とを記憶するオペレーションコードとを含む、ワイヤレス通信システム。
【請求項８】
アクセスサービスネットワークゲートウェイを有するシステムであって、
前記アクセスサービスネットワークゲートウェイは、
マクロ基地局にハンドオーバーされる移動局のハンドオーバー要求を受け取り、
移動局識別情報を受け取り、
前記移動局識別情報を、記憶された関連情報と比較し、
前記フェムト基地局に関する情報を前記移動局に送信し、
ハンドオーバーコンファメーションメッセージを生成し、
前記ハンドオーバーコンファメーションメッセージは、前記フェムト基地局の識別情報とＰＨＹパラメータ、及び前記識別情報と前記フェムト基地局のＰＨＹパラメータとを送信するオペレーションコードとを含む、システム。
【発明の詳細な説明】
【技術分野】
【０００１】
本発明は、ワイヤレスネットワークに関し、より具体的には、マクロ基地局からプライベートアクセス可能フェムト基地局への移動局のシームレスハンドオーバーに関する。
【背景技術】
【０００２】
ＩＥＥＥ８０２．１６はブロードバンドワイヤレスアクセス（ＢＷＡ）のための一連の新たな標準規格であり、一般的にはＷｉＭＡＸとして知られている。ＷｉＭＡＸは、第４世代のワイヤレスモバイルシステムをターゲットにしたワイヤレス技術の一つである。ＩＥＥＥ８０２．１６の基礎仕様に対するＩＥＥＥ８０２．１６ｅの修正により、１１ＧＨｚより下のライセンスされた周波数及びライセンスが免除された周波数における組み合わせ、固定、及び移動オペレーションが可能となる。ＩＥＥＥ８０２．１６は、複数のクラスのインターネットプロトコル（ＩＰ）アプリケーション及びサービスをサポートできるスループットが高いパケットデータネットワークラジオインターフェースを規定している。このアプリケーション及びサービスには、ボイスオーバーＩＰ（ＶｏＩＰ）のような同時的アプリケーションや、ＴＣＰアプリケーションのようなバーストデータアクセスプロファイルを有するアプリケーションなどが含まれる。ＩＥＥＥ８０２．１６−２００４とＩＥＥＥ８０２．１６−２００５で定められた標準を、共にここに参照援用する。
【０００３】
基本的なＷｉＭＡＸネットワークカバレッジは、他のモバイルワイヤレスネットワークと同様のやり方（例えば、大出力のマクロ基地局）を用いて提供されている。セル内におけるカバレッジとキャパシティを大きくするために、小型基地局装置を分散させることが検討されてきた。ターゲットとするユーザーの数と想定するアプリケーションのタイプに応じて、ＷｉＭＡＸ業界では、ナノ基地局、ピコ基地局、またはフェムト基地局として小型基地局装置を定義している。ラジオカバレッジを拡大し、またはマクロ基地局（ＭＢＳ）のスループットを大きくする中継局（ＲＳ）も導入されている。ＲＳは、ＭＢＳと移動局（ＭＳ）との間でアクティブサービスフローのデータを転送する、ＭＢＳに対するローコストの代替物である。
【０００４】
フェムト基地局（ｆＢＳ）は最も小型の基地局装置である。ｆＢＳは、要するに、ユーザーが購入して自宅やオフィスに設置できる小型のＷｉＭＡＸ  ＭＢＳである。ｆＢＳは、基本的に、ＩＥＥＥ８０２．１６標準に基づき、ＭＳＢと同じ無線インターフェース機能をユーザーのＭＳに提供する。ＭＢＳと比較して、ｆＢＳはローコスト、ローパワーのラジオシステムであり、能力は小さい。ユーザーはｆＢＳをビルの中に設置して、帯域幅とカバレッジを大きくし、固定／移動コンバージェンスなどの新しいアプリケーションを使えるようにすることができる。ｆＢＳは、ユーザーのビルの中に配置されると、ユーザーのビルの外にあるＭＢＳからＭＳが受けるよりも高い信号強度と良いリンク品質を提供することが多い。
【０００５】
ｆＢＳは、ネットワーク運営者のサポートが全くないか、ほとんどサポートが無くても、カスタマが自宅に設置できるものと想定されている。これは他のタイプの小型基地局装置とは異なる。他のタイプの小型基地局装置は、一般的にはネットワーク運営者により設置され、監視される。ｆＢＳは家庭またはオフィス環境で運営されるので、ｆＢＳはプライベートな機器であり、所有者の装置でのみアクセスすることができると考えるのが自然である。しかし、場合によっては、ｆＢＳの所有者は、所有者でない人のＭＳにサービスを提供する場合もある。かかるｆＢＳは公衆アクセス可能ｆＢＳと呼ぶ。
［関連出願］
本願は、ウェイ・ペン・チェンらにより２００８年６月１３日に出願された米国仮出願第６１／０６１，４６２号（発明の名称「マクロ基地局とフェムト基地局との間のハンドオーバー」、代理人管理第０７３３３８．０６１９号の米国特許法第１１９条（ｅ）項の利益を主張するものである。
【発明の概要】
【課題を解決するための手段】
【０００６】
本発明の教示は、マクロ基地局からプライベートアクセス可能なフェムト基地局への移動局のシームレスハンドオーバーに関する。この方法は、移動局のサービスをマクロ基地局にハンドオーバーするフェムト基地局のハンドオーバー要求を受け取る段階を含む。また、この方法は、前記フェムト基地局の識別情報を受け取る段階を含む。前記ファムと基地局の識別情報を前記移動局と関連づけて関連情報を生成する。前記フェムト基地局の識別情報と前記関連情報を記憶する。
【０００７】
他の実施形態において提供される方法は、マクロ基地局にハンドオーバーされる移動局のハンドオーバー要求を受け取る段階を含む。移動局の識別情報を受け取る。前記移動局の識別情報を、フェムト基地局の識別情報と一移動局の識別情報とを含む記憶された関連情報と比較する。前記方法は、さらに、前記記憶された関連情報を用いて、前記移動局の識別情報が、関連づけられた移動局の識別情報と一致するか判断する段階を含む。前記関連づけられたフェムト基地局に関する情報を、前記関連づけられた移動局に送信する段階を含む。
【０００８】
具体的な実施形態の技術的な有利性として、マクロ基地局からプライベートアクセス可能フェムト基地局に移動局をハンドオーバーする際のレイテンシが低下する。また、移動局のハードウェアまたはソフトウェアを変更しなくても、フェムト基地局へのハンドオーバー動作を速くすることができる。ハンドオーバープロセスは自己学習的かつ自律的であり、マクロ基地局やフェムト基地局をマニュアル的に設定するする必要はない。実施形態の他の技術的有利性として、ワイヤレスネットワークにおける、キャパシティの増加と、移動局にサービスするマクロ基地局及びフェムト基地局との間の負荷バランスがある。
【０００９】
他の技術的な有利性は、以下の図面、詳細な説明、及び特許請求の範囲に基づき、当業者には容易に明らかとなるであろう。さらに、具体的な有利性を上記したが、様々な実施形態は上記の有利性のすべてまたは一部を含んでもよいし、全く含まなくてもよい。
【図面の簡単な説明】
【００１０】
具体的な実施形態とそれらの優位性をよりよく理解してもらうために、添付した図面を参照しつつ以下に説明する。
【図１】一実施形態による、様々な通信ネットワークを含む通信システムを示す図である。
【図２】一実施形態による、端末、マクロ基地局、及びフェムト基地局をより詳細に示すワイヤレスネットワークを示す図である。
【図３Ａ】ＷｉＭＡＸシステムにおけるマクロ基地局とプライベートアクセス可能なフェムト基地局との間のシームレスハンドオーバー方法の部分を示す図である。
【図３Ｂ】ＷｉＭＡＸシステムにおけるマクロ基地局とプライベートアクセス可能なフェムト基地局との間のシームレスハンドオーバー方法の部分を示す図である。
【図４Ａ】スキャン時間を短くして、ＷｉＭＡＸシステムにおけるマクロ基地局とプライベートアクセス可能フェムト基地局との間のシームレスハンドオーバーを実現する方法例を示すフローチャートである。
【図４Ｂ】スキャン時間を短くして、ＷｉＭＡＸシステムにおけるマクロ基地局とプライベートアクセス可能フェムト基地局との間のシームレスハンドオーバーを実現する方法例を示すフローチャートである。
【発明を実施するための形態】
【００１１】
図１は、一実施形態による、様々な通信ネットワークを含む通信システムを示す図である。通信システム１００は、複数のネットワーク１１０を有する。各ネットワーク１１０は、独立して、または他のネットワークと共に、相異なる１つ以上のサービスを提供するように設計された通信ネットワークである。例えば、ネットワーク１１０により、インターネットアクセス、ワイヤレスアクセス（例えば、ＷｉＭＡＸサービス）、オンラインゲーム、ファイル共有、ピア・ツー・ピア（Ｐ２Ｐ）ファイル共有、ＩＰ電話（ＶｏＩＰ）、ＩＰテレビ電話、またはネットワークが提供するその他のタイプの機能が容易になる。複数のネットワーク１１０は、有線通信や無線通信の様々なプロトコルを用いて、それぞれのサービスを提供する。例えば、ネットワーク１１０ａは、８０２．１６ワイヤレスネットワーク（例えば、８０２．１６ｊ）を含む。これは、一般的にはＷｉＭＡＸとして知られており、ＭＢＳ１２０等のマクロ基地局（ＭＢＳ）、ＲＳ１３０等の中継局（ＲＳ）、ｆＢＳ１９０等のフェムト基地局（ｆＢＳ）を含む。
【００１２】
説明を単純かつ容易にするため、以下の説明では、関係する様々な装置（entities）に対して簡単な用語を用いる。「オーナー」は、ｆＢＳを購入したか、ｆＢＳが登録されている人または組織をいう。「ユーザー」は、ワイヤレスリソースを消費する人または組織（entity）をいう。「アクセスサービス」は、オーナーがインターネット等の外部ネットワークへのアクセスに用いるサービスをいう。「アクセスサービスプロバイダー」または「インターネットサービスプロバイダー」（ＩＳＰ）は、オーナーにアクセスサービスを提供する事業者（entity）をいう。「キャリアサービス」は、ユーザーがＷｉＭＡＸ等のワイヤレスアクセスに利用するサービスをいう。「キャリアサービスプロバイダー」または「ワイヤレスサービスプロバイダー」（ＩＳＰ）は、ユーザーにキャリアサービスを提供する事業者（entity）をいう。このような用語を用いて単純化するが、可能性のある実施形態の全範囲を表すものではない。例えば、オーナーはユーザーであってもよく、ＩＳＰはキャリアサービスプロバイダーでもあってもよい。他の例として、ＩＳＰは直接オーナーにインターネットアクセスを提供しなくてもよい（例えば、ＩＳＰがビルに対してインターネットアクセスを提供し、ビルのオーナーがｆＢＳのオーナーにインターネットアクセスを提供してもよい）。
【００１３】
図１に示した実施形態はｆＢＳ１９０を含む。ｆＢＳ１９０は、オーナーが購入（またはリース）した小型基地局である。オーナーは、自分の責任で、自宅などにｆＢＳを設置する。ｆＢＳは、設置されると、地理的に狭いカバレッジエリアを提供する。これを用いてオーナーの建物における信号カバレッジを改善できる。シナリオに応じて、オーナーはこのカバレッジを、他の未知のユーザーと共有してもよい（すなわち、ｆＢＳはパブリックｆＢＳである）。または、既知の許可を受けたユーザーに限定してもよい（すなわち、ｆＢＳはプライベートｆＢＳである）。
【００１４】
設定プロセスの一部には、ｆＢＳに対するバックホールコネクションのためのネットワークアクセスの提供が含まれる。図１から分かるように、ｆＢＳ１９０はネットワークアクセス装置１８０に接続される。この接続は、ｆＢＳ１９０に、キャリアサービスプロバイダーのネットワークであるネットワーク１１０ｅへのバックホールコネクションを提供する。ネットワークアクセス装置１８０は、オーナーに一般的なネットワークアクセスを提供してもよい。明らかに、ｆＢＳ１９０は、専用バックホール通信ラインは使わず、オーナーの既存のネットワークアクセスを使う。実施形態やシナリオによって、ＩＳＰ及びＷＳＰは同一のエンティティであってもよい。
【００１５】
ｆＢＳ１９０は、オーナーの既存のネットワークアクセスを用い、これは従来のワイヤレスアクセスポイントと同様である。しかし、ユーザーがｆＢＳのカバレッジエリアを離れると、ユーザーをＲＳ１３０またはＭＢＳ１２０にハンドオフする。ユーザーのＭＳは、ｆＢＳ１９０と、ＲＳ１３０またはＭＢＳ１２０とで、同じワイヤレスインターフェースを用いるので、ハンドオフが可能である。さらにまた、ライセンス免除の帯域で運用される従来のＷｉＦｉワイヤレスアクセスポイントとは異なり、ｆＢＳはライセンス帯域で運営される。
【００１６】
ネットワーク１１０ａ等のワイヤレスプロトコル（例えば、８０２．１６ｊや８０２．１６ｍ）を用いるネットワークにおいて、ある実施形態では、ｆＢＳ１９０はパブリックでもプライベートでもよい。パブリックｆＢＳにはどの端末（endpoints）１４０も接続できる。プライベートｆＢＳには、それに接続することを許可された端末１４０が接続できる。例えば、ｆＢＳ１９０ａは、オーナーが自宅に設置したプライベートｆＢＳである。ｆＢＳ１９０ａのオーナーは、ｆＢＳ１９０ａに接続することを許可された端末１４０ｈ、１４０ｉ（例えば、そのオーナーの電話（例えば、移動電話）と、コンピュータ）を有する。したがって、この２つの端末（endpoints）のみがｆＢＳ１９０ａに接続できる。一方、ｆＢＳ１９０ｂは、オフィスに設置されたパブリックｆＢＳである。したがって、ｆＢＳ１９０ｂのカバレッジエリア内にいる端末１４０はどれも接続できる。
【００１７】
実施形態によっては、ｆＢＳ１９０へのシームレス接続を提供することが望ましい。図３Ａ及び図３Ｂを参照して詳しく説明する方法により、端末１４０はｆＢＳ１９０に接続でき、一方でレイテンシとスキャン時間を最小化できる。これにより、端末１４０は、ワイヤレスネットワークのユーザーにトランスパレント（transparent）なやり方で、ｆＢＳに接続することができる。
【００１８】
各端末１４０は、ＭＢＳ１２０、複数のＲＳ１３０、または複数のｆＢＳ１９０のうちの１つと接続される。単純化のため、端末が接続されるコンポーネントをアクセス局と呼ぶ。例えば、端末１４０ｈのアクセス局はｆＢＳ１９０ａである。各端末１４０とそのアクセス局との間にはワイヤレス接続１５０があり、アクセスリンクと呼ぶ。これらのワイヤレス接続は、端末にネットワークへのアクセスを提供するので、アクセスリンクと呼ばれる。同様に、各ＲＳとＭＢＳとの間に（または２つのＲＳの間に）、ワイヤレス接続１５０があってもよい。これは中継リンクと呼ばれる。このワイヤレス接続は、アクセスリンクとＭＢＳとの間の通信を中継するので、中継リンクと呼ばれる。
【００１９】
ワイヤレス接続は、（例えば、ダウンリンクマップまたはアップリンクマップに記述されるように）、例えば中心周波数、帯域幅、時間スロット、及び／またはサブチャネルの組み合わせなどの様々なワイヤレスリソースを含む。実施形態では、リンクが使用するリソース量をスロットの点から見て説明すると便利である。実施形態によっては、一スロットは、ある数のサブチャネルとシンボル（時間スロットとも呼ばれる）を含み得る。例えば、ＩＥＥＥ８０２．１６ｅ−２００５標準のセクション８．４．３．１は、１つのサブチャネルと２つのシンボルを含むスロットを規定している。
【００２０】
一エリアにおけるワイヤレス接続１５０の数が増えると、ワイヤレス接続１５０間の干渉が強く厳しいものとなる。よって、どこにｆＢＳが設置されたか知ることが望ましい。特定の実施形態では、アップリンクサウンディング（uplink  sounding）を用いて、ＭＢＳ１２０、複数のＲＳ１３０、及び複数のｆＢＳ１９０の間のチャネルゲインとＭＢＳ１２０間の干渉の強さを推定する。それゆえ、ワイヤレス接続の品質と効率の決定にアップリンクサウンディングを用いる。
【００２１】
特定の実施形態では、端末１４０は、それぞれのアクセス局とのアクセスリンクのスペクトル効率に基づき、どのアクセス局（例えば、ＭＢＳ１２０、ＲＳ１３０、またはｆＢＳ１９０のうちの１つ）に接続するか選択する。スペクトル効率は、ＣＩＮＲ（Carrier  to  Interference-plus-Noise  Ratio）により決まるＭＣＳ（Modulation  and  Coding  Scheme）レベルを用いて決定でき、ｂｉｔｓ／Ｈｚ／ｓｅｃ単位で測定される。例えば、コーディングレートが１／２のＱＰＳＫ（Quadrature  Phase-Shift  Keying）変調信号のスペクトル効率は１ビット／Ｈｚ／ｓｅｃである。さらに、実施形態によっては、ｆＢＳがアクセス局としてより好適に見えるようにネットワーク１１０ａを構成して、可能であればＭＳがｆＢＳに接続するようにしてもよい。
【００２２】
通信システム１００は、異なる６つのネットワーク（ネットワーク１１０ａ−１１０ｆ）を含むが、「ネットワーク」という用語は、信号、データ、及び／またはメッセージを送信できる任意のネットワークまたはネットワークの組み合わせをいうものとして解釈すべきである。送信される信号、データ、及び／またはメッセージには、ウェブページ、電子メール、テキストチャット、ＶｏＩＰ、及びインスタントメッセージングにより送信されるものが含まれる。ネットワークの範囲、サイズ、及び／または構成に応じて、各ネットワーク１１０ａ−１１０ｆは、ＬＡＮ、ＷＡＮ、ＭＡＮ、ＰＳＴＮ、ＷｉＭＡＸネットワーク、インターネット等の全世界に分散したネットワーク、イントラネット、エクストラネット、その他のワイヤレスネットワークまたは有線ネットワークとして実施してもよい。
【００２３】
ネットワーク１１０に含まれる有線リンク１６０、ワイヤレス接続１５０、ノード１７０及び／または端末１４０は、いくつでもよく、それらの組み合わせでもよい。図示と単純化のために、ネットワーク１１０ａは少なくともその一部はＷｉＭＡＸにより実施されるＭＡＮである；ネットワーク１１０ｂはＰＳＴＮである；ネットワーク１１０ｃはＬＡＮである；ネットワーク１１０ｄはインターネット等のＷＡＮである；ネットワーク１１０ｅは、ネットワーク１１０ａを担当するキャリアサービスプロバイダーが運営するキャリアサービスネットワーク（ＣＳＮ）である；ネットワーク１１０ｆは、ユーザーにインターネットアクセスを提供するインターネットサービスプロバイダーが運営するアクセスサービスネットワーク（ＡＳＮ）である。図示はしていないが、ＣＳＮネットワーク１１０ｅとＡＳＮネットワーク１１０ｆは、両方とも、それぞれのサービスを提供するのに必要な、サーバー、モデム、ゲートウェイ、その他のコンポーネントを含んでいてもよい。ネットワーク１１０は、別個の６つのネットワークとして示したが、シナリオによっては、２つ、またはそれ以上のネットワークが１つのネットワークとなっていてもよい。例えば、ＷＳＰとＩＳＰは同一の事業者（business  entity）であり、同一ネットワーク上で両方のサービスに必要なコンポーネントを有している。
【００２４】
一般的に、ネットワーク１１０ａ、及び１１０ｃ−１１０ｆは、端末１４０及び／またはノード１７０（以下に説明する）の間におけるパケット、セル、フレーム、その他の情報の部分（ここでは一般的にパケットと呼ぶ）の通信を行う。特定の実施形態では、ネットワーク１１０ａ、及び１１０ｃ−１１０ｆはＩＰネットワークである。ＩＰネットワークはデータの送信にあたり、そのデータをパケット化して、１つまたはそれ以上の経路に沿って、送信先に各パケットを個別に送信する。ネットワーク１１０ｂは、例えばＰＳＴＮであり、交換局、中央オフィス、移動電話交換オフィス、ページャー交換オフィス、リモート端末、その他の関連電気通信機器を含み、これらは世界中に設置されている。ネットワーク１１０ｄはゲートウェイを介してネットワーク１１０ｂと結合している。実施形態によっては、ゲートウェイはネットワーク１１０ｂ及び／または１１０ｄの一部である（例えば、ノード１７０ｅや１７０ｃはゲートウェイである）。ゲートウェイにより、ＰＳＴＮ１１０ｂは、ネットワーク１１０ａまたは１１０ｃ−１１０ｆ等である非ＰＳＴＮネットワークと通信することができる。
【００２５】
ネットワーク１１０ａまたは１１０ｃ−１１０ｆは、インターネットを含むがこれに限定されない他のＩＰネットワークに結合されている。ＩＰネットワークは同じ方法でデータを送信するので、相互に接続されている異なるＩＰネットワークにあるデバイス間で信号を送信することができる。ネットワーク１１０ａまたは１１０ｃ−１１０ｆ、他のＩＰネットワークに結合していることに加えて、インターフェース、またはゲートウェイなどのコンポーネントを介して非ＩＰネットワークに結合していてもよい。
【００２６】
ネットワーク１１０は、複数の有線リンク１６０、ワイヤレス接続１５０、及びノード１７０を介して、互いに、及び他のネットワークと接続されている。有線リンク１６０、ワイヤレス接続１５０、及びノード１７０は、様々なネットワークを接続するだけではなく、端末（endpoints）１４０を互いに、及びネットワーク１１０またはその一部と結合している他のコンポーネントと相互接続する。ネットワーク１１０が相互接続していることにより、端末１４０は互いにデータ及び制御信号を通信でき、中間コンポーネントやデバイスはデータと制御データを通信できる。したがって、端末１４０のユーザーは、ネットワーク１１０に結合した各ネットワークコンポーネント間でデータと制御信号を送受信できる。
【００２７】
上記の通り、ワイヤレス接続１５０は、例えばＷｉＭＡＸを用いる２つのコンポーネント間のワイヤレスリンクを表す。ＷｉＭＡＸ  ＭＢＳのレンジはＲＳとｆＢＳにより拡張され、それによりネットワーク１１０ａは、比較的少数の有線リンクを用いて、より大きなＭＡＮの地理的エリアをカバーできる。より具体的には、都市エリアの周りにＭＢＳ１２０と複数のＲＳ１３０及びｆＢＳ１９０を適切に配置することにより、複数のアクセス局はワイヤレス接続１５０または既存の有線リンクを用いて、ＭＢＳ１２０と通信し、ワイヤレス接続１５０を用いて都市エリア中のワイヤレス端末１４０と通信する。そして、ＭＢＳ１２０は、有線接続１６０ａを介して、他のＭＢＳ、ネットワーク１１０ｅのコンポーネント、ワイヤレス接続をできないネットワークコンポーネント、及び／またはＭＡＮの外の他のネットワーク（例えば、ネットワーク１１０ｄやインターネット）と通信できる。
【００２８】
上記の通り、ネットワーク１１０ａのカバレッジ（coverage  quality）をｆＢＳ１９０の使用により改善する。すなわち、ＷｉＭＡＸ  ｆＢＳのレンジは比較的短いので、ネットワーク１１０ａは、ビルの内部など狭いエリアにいるユーザーに提供する信号品質と容量を改善できる。ｆＢＳ１９０は、既存のネットワークアクセスを用いてアクセスリンクを提供できる。すなわち、ｆＢＳ１９０は、オーナーのネットワークアクセスデバイス１８０に接続する。ｆＢＳ１９０は、一旦接続すると、オーナーのＩＳＰネットワーク（例えば、ネットワーク１１０ｆ）が提供するオーナーのネットワークアクセスを利用して、キャリアサービスプロバイダーのネットワーク（例えば、ネットワーク１１０ｅ）にバックホール接続する。
【００２９】
ノード１７０には、以下のものの任意の組み合わせが含まれる：ネットワークコンポーネント、モデム、セッションボーダーコントローラ、ゲートキーパー、ＡＳＮゲートウェイ、ＣＳＮゲートウェイ、セキュリティゲートウェイ、ＯＡＰ＆Ｐ（operation  administration  maintenance  and  provisioning）サーバー、ネットワークアクセスプロバイダー（ＮＡＰ）サーバー、基地局、コンファレンスブリッジ、ルーター、ハブ、スイッチ、ゲートウェイ、エンドポイント、またはその他のハードウェア、ソフトウェア、組み込み論理回路であって通信システム１００におけるパケットの交換をする通信プロトコルを実装したものの。例えば、ノード１７０ａは、リンク１６０ｊを介してＭＢＳ１２０に有線接続され、リンク１６０ａを介してネットワーク１１０ｄに有線接続された他のＭＢＳであってもよい。ノード１７０ａは、ＭＢＳとして、他の様々なＭＢＳ、ＲＳ、及び／または端末と、自分のワイヤレス接続をすることもできる。他の例として、ノード１７０ｅはゲートウェイであってもよい。ノード１７０ｅは、ゲートウェイノードとして、ＰＳＴＮネットワークであるネットワーク１１０ｂに、ＩＰネットワークであるネットワーク１１０ｄなどの非ＰＳＴＮネットワークとの間で通信を行わせる。すなわち、ノード１７０ｅは、ゲートウェイとして、異なるネットワークが使う様々なプロトコル間の通信を変換する役割を担う。
【００３０】
ネットワークアクセスデバイス１８０は、ハードウェア、コンピュータ読み取り可能媒体に化体されたソフトウェア、及び／またはハードウェアに組み込まれるか記憶された符号化論理（例えば、ファームウェア）の任意の組み合わせにより、ｆＢＳ１９０にネットワークアクセスを提供する。特定の実施形態では、ネットワークアクセスデバイス１８０はオーナーのＩＳＰにより提供され得る。例えば、オーナーのＩＳＰは、ケーブルテレビ事業者（cable  company）であれば、ネットワークアクセスデバイス１８０としてケーブルモデムを提供する。他の例として、オーナーのＩＳＰは、電話会社であれば、ネットワークアクセスデバイス１８０としてｘＤＳＬモデムを提供する。言うまでもなく、ネットワークアクセスデバイス１８０は、ｆＢＳ１９０以外のコンポーネントにもネットワークアクセスを提供する。例えば、オーナーは、自分のパーソナルコンピュータをネットワークアクセスデバイス１８０に接続してインターネットを利用できる。
【００３１】
端末１４０及び／またはノード１７０は、ハードウェア、コンピュータ読み取り可能媒体に化体されたソフトウェア、及び／またはハードウェアに組み込まれるか記憶された符号化論理（例えば、ファームウェア）の任意の組み合わせにより、ユーザーにデータやネットワークアクセスを提供する。例えば、端末１４０ａ−１４０ｋは、携帯電話、ＩＰ電話、コンピュータ、ビデオモニター、カメラ、ＰＤＡ（personal  data  assistant）、またはその他のハードウェア、ソフトウェア、及び／またはコード化論理であってネットワーク１１０を用いたパケット（またはフレーム）通信をサポートするものが含まれる。端末１４０は、無人または自動のシステム、ゲートウェイ、その他の中間コンポーネント（intermediate  components）、またはその他のデバイスであってデータ及び／または信号を送受信できるものを含んでも良い。
【００３２】
図１には特定の数と構成の端末、接続、リンク、及びノードを示したが、通信システム１００が想定するデータ通信するコンポーネントの数や構成は任意である。また、通信システム１００の要素には、集中したコンポーネントや通信システム１００中に分散したコンポーネントが含まれる。
【００３３】
図２は、一実施形態による、端末、マクロ基地局、及びフェムト基地局をより詳細に示すワイヤレスネットワークを示す図である。すなわち、図示した実施形態は、単純化したネットワークであり、ネットワーク２０５、ＭＢＳ２１０、ｆＢＳ２５０、及び端末２７０を含む。別の実施形態では、ネットワーク２００は、任意数の、有線またはワイヤレスネットワーク、ＭＢＳ、端末、ＲＳ、ｆＢＳ、及び／またはその他のコンポーネントであって有線接続であるかワイヤレス接続であるかに関わらずデータ通信を容易にする、またはそれに参加するものを含む。ＭＢＳ２１０とｆＢＳ２５０は、プロセッサ２１２、２５２と、メモリ２１４，２５４と、通信インターフェース２１６，２５６と、ラジオ部２１７，２５７と、アンテナ２１８，２５８とを含む。同様に、端末２７０は、プロセッサ２７２、メモリ２７４、ラジオ部２７７、及びアンテナ２７８を含む。これらのコンポーネントは、ワイヤレスネットワーク（例えば、ＷｉＭＡＸワイヤレスネットワーク）におけるワイヤレス接続の提供など、ワイヤレスネットワーク機能を提供するために協働する。
【００３４】
ネットワーク２０５は、異なる１つまたは複数のオペレータにより運営される別々だが相互接続されたネットワークを含む。すなわち、ネットワーク２０５ａはＩＳＰのネットワークである。ｆＢＳ２５０のオーナーは、インターネット等のネットワークアクセスにネットワーク２０５ａを用いることができる。オーナーにネットワークアクセスを提供する場合、ＩＳＰのネットワーク２０５ａはモデム２２２、サーバー２２４、及びＩＳＰゲートウェイ２２６を含む。ＩＳＰはモデム２２２を用いてオーナーのモデム２５１と通信する。よって、モデム２５１とモデム２２２は、互いにデータを通信できるようにする補完的なハードウェア及び／またはソフトウェアを有する。モデム２２２は、ＩＳＰのネットワーク２０５ａとオーナーのモデム２５１との間のゲートウェイとして機能する。特定の実施形態では、モデム２２２はセキュリティゲートウェイ機能を有する。サーバー２２４は、ＯＡＭ＆Ｐサーバー、認証・許可・アカウンティング（ＡＡＡ）サーバー、ＤＨＣＰサーバー、その他のサーバーであってＩＳＰがオーナーにネットワークアクセス（またはＩＳＰが提供するその他の機能）を提供するのに必要なものであってもよい。ＩＳＰゲートウェイ２２６は、ネットワーク２０５ａをネットワーク２０５ｂと結合するのに必要なハードウェア及び／またはソフトウェアを有する。これにはセキュリティ機能（例えば、セキュアトンネルや仮想プライベートネットワーク（ＶＰＮ）接続）を実装するのに必要なハードウェア及び／またはソフトウェアを含む。
【００３５】
ネットワーク２０５ｃは例えばＷｉＭＡＸサービスプロバイダーのネットワークである。シナリオによっては、ネットワーク２０５ｃはユーザーまたはオーナーのＷｉＭＡＸサービスプロバイダーのネットワークであってもよい。ＷｉＭＡＸサービスを提供する場合、ネットワーク２０５ｃはサーバー２３２とゲートウェイ２３４を利用する。サーバー２３２は、ＯＡＭ＆Ｐサーバー、ネットワークアクセスプロバイダー（ＮＡＰ）サーバー、ＡＡＡサーバー、自己組織化ネットワーク（ＳＯＮ）サーバー、またはその他のサーバーであってＷｉＭＡＸプロバイダーがｆＢＳ２５０の設定・認証やユーザーへのＷｉＭＡＸサービスの提供に必要なものである。ゲートウェイ２３４は、ネットワーク２０５ｃをネットワーク２０５ｂと結合するのに必要なハードウェア及び／またはソフトウェアを有する。例えば、特定の実施形態では、ゲートウェイ２３４はセキュリティゲートウェイと、その後のＡＳＮゲートウェイである。セキュリティゲートウェイとＡＳＮゲートウェイは、ハードウェアコンポーネントがすべて同じでも、一部が同じでも、まったく違うものであってもよい。ゲートウェイ２３４も、ｆＢＳ２５０とゲートウェイ２３４との間のセキュアトンネルまたはＶＰＮ接続を提供するセキュリティ機能を含む。このセキュリティ機能はｆＢＳ２５０からゲートウェイ２３４への送信の「盗聴（snooping）」を防止するのに重要である。これは、ＩＳＰがＷｉＭＡＸサービスプロバイダーとは異なる者（entity）であるときに生じる。
【００３６】
ネットワーク２０５ａと２０５ｃはネットワーク２０５ｂを介して結合している。ある実施形態では、ネットワーク２０５ｂはインターネットである。このように、かかる実施形態では、ｆＢＳ２５０はインターネットを介してＷＳＰのネットワークであるネットワーク２０５ｃに接続している。ＭＢＳ２１０は、ｆＢＳ２５０とは異なるゲートウェイ２３４に結合されている。ネットワーク２０５ｂは１つのネットワークとして示したが、図１を参照して説明したように、ネットワークの数はいくつでもよい。例えば、ネットワーク２０５ｂはインターネット、ＬＡＮ、ＷＡＮ、ＭＡＮ、ＰＳＴＮ、またはこれらの組み合わせである。
【００３７】
プロセッサ２１２、２５２、及び２７２は、マイクロプロセッサ、コントローラ、またはその他の好適な計算装置、リソース、またはハードウェア、ソフトウェア、及び／またはコード化ロジックであって、単独または他のノード２１４のコンポーネント（メモリ２１４，２５４、及び／または２７４等）と共に、ワイヤレスネットワーキング機能を提供するように動作可能なものである。かかる機能には、ここで説明する様々なワイヤレス機能の提供を含む。例えば、プロセッサ２１２、２５２、及び２７２は、ワイヤレス接続２９０ａ及び／または２９０ｂのスペクトル効率を決定できる。プロセッサ２１２、２５２，２７２が少なくとも一部でも提供する別の例と機能を以下に説明する。
【００３８】
メモリ２１４、２５４，２７４はいかなる形態の揮発性メモリまたは不揮発性メモリでもよく、磁気メディア、光メディア、ランダムアクセスメモリ（ＲＡＭ）、リードオンリメモリ（ＲＯＭ）、フラッシュメモリ、リムーバブルメディア、その他の好適なローカル（local）またはリモート（remote）のメモリコンポーネントが含まれるが、これらに限定はされない。メモリモジュール２１４，２５４，２７４は、ＭＢＳ２１０、ｆＢＳ２５０、及び端末２７０がそれぞれ利用する好適なデータ、命令、論理、または情報を記憶する。これには、コンピュータ読み取り可能媒体に化体されたソフトウェア、及び／またはハードウェアに組み込まれた、または記憶されたコード化論理が含まれる。例えば、特定の実施形態では、メモリモジュール２１４、２５４、２７４は、１つまたは複数のリンクのスペクトル効率に関する情報を記憶する。メモリモジュール２１４、２５４、２７４は、適切なコンポーネントにデータをいかにルーティングするか決定するのに有用なリスト、データベース、その他のデータ組織も有する。例えば、ある実施形態では、データを端末からＭＢＳにルーティングするのに、（メッシュ構造ではなく）ツリー構造を用いる。すなわち、ＭＢＳ２１０から端末２７０ｂへのパスが分かっているかも知れない。このパスまたはその一部を、メモリモジュール２１４、２５４、２７４に記憶する。メモリモジュール２１４、２５４、２７４に記憶する情報の別の例を以下に説明する。
【００３９】
ラジオ部２１７、２５７、及び２７７はそれぞれアンテナ２１８、２５８、及び２７８に、またはその一部に結合している。ラジオ部２１７、２５７、及び２７７はデジタルデータを受信する。このデータは、ワイヤレス接続を介して他のＭＢＳ、ｆＢＳ、ＲＳ及び／または端末に送信されるものである。ラジオ部２１７、２５７、及び２７７は、デジタルデータを、適当な中心周波数と帯域幅パラメータを有するラジオ信号に変換する。これらのパラメータは、例えば、ＭＢＳ２１０のプロセッサ２１２とメモリ２１４の組み合わせにより、予め決まっている。ラジオ信号は、アンテナ２１８、２５８，２７８を介して適当な受信者に送信される。同様に、ラジオ部２１７，２５７，及び２７７は、それぞれアンテナ２１８，２５８，２７８を介して受信したラジオ信号を、デジタルデータに変換する。プロセッサ２１２，２５２，２７２は必要に応じてこのデジタルデータを処理する。
【００４０】
アンテナ２１８、２５８、２７８は、ワイヤレスでデータ及び／または信号を送受信できる任意のタイプのアンテナである。ある実施形態では、アンテナ２１８、２５８、２７８は、２ＧＨｚと６６ＧＨｚの間のラジオ信号を送受信できる全方向性アンテナ、セクターアンテナ、またはパネルアンテナである。全方向性アンテナは、ラジオ信号を全方向で送受信するために用いられる。セクターアンテナは、特定エリア内のデバイスとの間でラジオ信号を送受信するために用いられる。パネルアンテナは、比較的直線状のラジオ信号を送受信するために用いられる視線アンテナ（line  of  sight  antenna）である。ラジオ部２１７とアンテナ２１８、ラジオ部２５７とアンテナ２５８、及びラジオ部２７７とアンテナ２７８は、それぞれワイヤレスインターフェースを形成する。
【００４１】
通信インターフェース２１６と２５６は、ＭＢＳ２１０とネットワーク２０５の間、及びｆＢＳ２５０とネットワーク２０５の間のシグナリング及び／またはデータの有線通信に用いられる。例えば、通信インターフェース２１６は、ＭＢＳ２１０が有線接続によりネットワーク２０５ｃとの間でデータを送受信するのに必要なフォーマット化及び変換を実行する。他の例として、通信インターフェース２５６は、イーサネット(登録商標)インターフェースなどの、モデム２５１の対応インターフェースと互換性のあるインターフェース（例えば、ＲＪ−４５）である。図示はしていないが、端末２７０も有線インターフェースを含む。
【００４２】
ｆＢＳ１９０について説明したように、ｆＢＳ２５０は、基本的に、家庭またはオフィスで限定的なカバレッジエリアを提供する小型基地局である。ｆＢＳ２５０は、その実施形態と構成によってはパブリックでもプライベートでもよい。ｆＢＳ２５０は、モデム２５１を介してネットワーク２０５ｃへのバックホール接続（backhaul  connection）を提供するユーザーのネットワークアクセスを利用するものである。これは、ＭＢＳ２１０の場合のようにＷｉＭＡＸサービスサプライヤーがバックホール接続を提供するのとは異なる。
【００４３】
モデム２５１を用いてオーナーのネットワークアクセスを提供する。これをｆＢＳ２５０はＷｉＭＡＸネットワーク２０５ｃへのバックホール接続として利用する。ネットワークサービスのタイプやユーザーのサービスプロバイダーによっては、モデム２５１は、ケーブルモデム、デジタル加入者線（ＤＳＬ）モデム、光ファイバーモデム、その他オーナーのネットワークサービスプロバイダーが提供するモデム、ゲートウェイ、またはネットワークアクセスデバイスである。ｆＢＳ２５０とモデム２５１の間にルーター、スイッチ、ハブなどがあってもよいことは明らかである。
【００４４】
ｆＢＳ２５０は、バックホール接続をする際に、モデム２５１と通信する。モデム２５１は、ユーザーのＩＳＰにより提供または許可されたものである。ｆＢＳ２５０は、モデム２５１によりＩＳＰのネットワーク２０５ａにアクセスできる。そして、ネットワーク２０５ａにより、ネットワーク２０５ｂを介してネットワーク２０５ｃにアクセスできる。ネットワーク２０５ａにアクセスするとき、モデム２５１はＩＳＰのモデム２２２と通信することもある。
【００４５】
ＩＳＰは、ユーザーにネットワークアクセスを提供するため、サーバー（例えば、ＯＡＭ＆Ｐサーバー、ＡＡＡサーバー、ＤＨＣＰサーバー）を運営している。例えば、ユーザーは、ＤＳＬプロバイダーに、ネットワークアクセス用のデジタル加入者線（ＤＳＬ）アカウントを有している。サーバー２２４は、ユーザーが料金を支払っていることや、ＤＳＬプロバイダーから信用されていることを確認する。
【００４６】
ＩＳＰゲートウェイ２２６は、ＩＳＰネットワーク２０５ａをインターネット（例えば、ネットワーク２０５ｂ）に接続する。これにより、ｆＢＳ２５０はインターネットを介してＷｉＭＡＸネットワーク２０５ｃにアクセスできる。ネットワーク２０５ａをインターネットに接続する際に、ゲートウェイ２２６は必要なフォーマット化やセキュリティの機能を行う。
【００４７】
ＷｉＭＡＸネットワーク２０５ｃは独自のゲートウェイ２３４とサーバー２３２を有する。ＩＳＰネットワーク２０５ａのサーバーやゲートウェイと同様に、ゲートウェイ２３４とサーバー２３２は、ユーザーが有効なＷｉＭＡＸアカウントを有することを確認し、ネットワーク２０５ｃがネットワーク２０５ｂにアクセスできるようにする。サーバー２３２も、ｆＢＳ２５０の様々な機能（features  and  functionality）を提供するのに利用できる情報、データ、命令、論理等を含む。例えば、サーバー２３２は、ｆＢＳ２５０に、端末２７０とのワイヤレス接続２９０ｂのためのチャネル情報を提供する。
【００４８】
端末２７０は、ＭＢＳ２１０やｆＢＳ２５０との間でデータや信号を送受信できる如何なるタイプのワイヤレス端末であってもよい。端末２７０には、例えば、デスクトップコンピュータ、ＰＤＡ、携帯電話、スマートフォン、ノートブックコンピュータ、ＶｏＩＰフォン等が含まれる。
【００４９】
以下の例は、これらのコンポーネントが相互にどのように協働して実施形態の機能を提供するか例示するものである。ある実施形態では、ＭＢＳ２１０やｆＢＳ２５０は、ネットワーク２０５のコンポーネントに関連情報（association  information）を送信する。この関連情報は、端末２７０とｆＢＳ２５０との間の関連（association）に関し、端末２７０のサービスのシームレスハンドオーバーを容易にするものである。さらに、ネットワーク２０５は、必要に応じてネットワーク２０５の他のコンポーネントにこの関連情報を送信する。
【００５０】
ここまで、相異なる複数の実施形態と機能を説明した。実施形態によっては、動作上の必要性やコンポーネントの制約に応じて、これらの機能を組み合わせてもよい。これにより、ネットワーク２００を様々な組織やユーザーのニーズに合わせることができる。例えば、一実施形態では、複数のＭＢＳを用いて都市エリアにワイヤレスアクセスを提供してもよいし、１つのＭＢＳと複数のＲＳとを用いて必要なカバレッジを提供してもよい。さらに、実施形態によっては、ｆＢＳ２５０は程度の差はあるがラジオ部を有する。実施形態によっては、別の機能（features）を有していても良い。
【００５１】
図３Ａと図３Bは、ＷｉＭＡＸシステムにおけるマクロ基地局とプライベートアクセス可能なフェムト基地局との間のシームレスハンドオーバー方法の部分を示す図である。特に、図３Ａと図３Ｂは、ＷｉＭＡＸまたはその他のネットワークの一部を示し、隣接したマクロ基地局３０２と、フェムト基地局３０４と、移動局３０６とを含む。また、このネットワークには、ＡＳＮゲートウェイ３１０との間のメッセージ３０８も示した。図３Ａは、ＭＳ３０６がｆＢＳ３０４及びホームＭＢＳ３０２ａとの関連付け（association  establishment）する方法を示した。図３Ｂは、図３Ａの関連情報（association  information）を利用する方法を示した。
【００５２】
ＭＳ３０６は、移動可能であり、あちこちに移動して、基地局間でのハンドオーバーが必要となる。しかし、一般的に、ＭＳ３０６には「ホーム（home）」すなわち大部分の時間いる基地局がある。ＭＢＳ３０２のみからなるシステムでは、「ホーム」基地局のコンセプトはほとんど不必要である。しかし、ｆＢＳ３０４がある場合、あるｆＢＳ３０４をホーム基地局と考えると便利である。ｆＢＳ３０４の目的は、ネットワークトラフィックの一部をＭＢＳ３０２からｆＢＳ３０４にリダイレクトすることである。ＭＳ３０６は、ｆＢＳ３０４と関連（associate）していることが多い。このｆＢＳ３０４を、そのＭＳ３０６の「ホーム」ｆＢＳ３０４に指定する。ホームＭＢＳ３０２ａも指定してもよい。ホームＭＢＳ３０２ａのカバレッジエリアは、ｆＢＳ３０４のカバレッジエリアとオーバーラップしてもよい。一般的に、ホームＭＢＳ３０２ａは、ホームｆＢＳ３０４がＭＳ３０６のサービスをハンドオーバーするＭＢＳ３０２である。ホームｆＢＳ３０４には２つ以上のホームＭＢＳ３０２ａがあってもよい。本開示においては、図示したＭＳ３０６は１つのホームｆＢＳ３０４を有し、ホームｆＢＳ３０４は１つのホームＭＢＳ３０２ａを有すると仮定する。
【００５３】
一般的に、ｆＢＳから他のｆＢＳまたはＭＢＳへのハンドオーバー手順には、ｆＢＳからの隣接トポロジーアドバタイズメント（neighbor  topology  advertisement）、ＭＳスキャニング手順、及びその他の付随的プロセスを利用する。このハンドオーバー手順は、Ｒ１インターフェースにおけるＰＨＹ動作とＭＡＣ動作を含み、これはローカルメトロポリタンエリアネットワークのＩＥＥＥ標準（パート１６、アメンドメント２及び正誤表１）に規定されている。また、Ｒ４／Ｒ６／Ｒ８インターフェースにおけるネットワーク動作を含み、これはＷｉＭＡＸフォーラムネットワークアーキテクチャ（リリース１．２、ステージ２とステージ３）に規定されている。このハンドオーバー手順を適合させて、これ以上の修正なしに、ｆＢＳから他のｆＢＳまたはＭＢＳへのシームレスハンドオーバーを実現する。この手順はＭＢＳからＭＢＳへのハンドオーバーと類似している。しかし、シームレスハンドオーバーを実現するためには、ＭＢＳからｆＢＳへのハンドオーバーに修正を加える必要がある。
【００５４】
フェムト基地局の利用により、ＭＢＳからｆＢＳにシームレスハンドオーバーをできるようにする課題が生じる。一般的にｆＢＳのカバレッジエリアはＭＢＳのカバレッジエリアと比較して小さい。一般的に、１つのＭＢＳがサービスするエリアには多数のｆＢＳがあり、ｆＢＳの数はＭＢＳの数より非常に多い。隣接トポロジーアドバタイズメントはｆＢＳまたはＭＢＳがＡＳＮゲートウェイから受信する情報を利用する。この情報は、ハンドオーバーのターゲット基地局のＰＨＹパラメータを含み、現在サービスしている基地局により隣接アドバタイズメント（ＭＯＢ＿ＮＢＲ−ＡＤＶ）メッセージでブロードキャストされる。ＭＳスキャニングにより、ＭＳ３０６は周波数チャネルをスキャンして、ハンドオーバーが可能な基地局があるか探す。現在、サービス中のＭＢＳは、ＭＳ３０６がハンドオーバーされ得る近隣のＭＢＳに関する情報を含むＭＯＢ＿ＮＢＲ−ＡＤＶメッセージをブロードキャストする。ｆＢＳを隣接トポロジーアドバタイズメントに組み込むと帯域幅が大きくなるが、ＷｉＭＡＸ標準では隣接アドバタイズメントメッセージは２５６局に限られている。よって、すべてのｆＢＳを１つのＭＯＢ＿ＮＢＲ−ＡＤＶメッセージに入れることはできないことがある。
【００５５】
すべてのＭＳにサービスする必要のあるＭＢＳと異なり、ｆＢＳは閉じた加入グループ（closed  subscription  group；ＣＳＧ）に属する限定されたＭＳにサービスすればよい。ｆＢＳには、プライベートアクセス可能ｆＢＳとパブリックアクセス可能ｆＢＳの２つのタイプがある。前者の場合、ｆＢＳは閉じた加入グループ（ＣＳＧ）のみにアクセスさせ、ＣＳＧに属さないＭＳにはサービスしない。例えば、ＣＳＧのメンバーは、ｆＢＳのオーナー及びその家族、友人、隣人のＭＳデバイスである。一方、パブリックアクセス可能ｆＢＳは、ＣＳＧのＭＳにサービスするだけでなく、契約に応じてオーナーまたはオペレータのいずれかが設定するグループにサービスする。
【００５６】
したがって、プライベートｆＢＳは、ＭＯＢ＿ＮＢＲ−ＡＤＶメッセージに含まれていても、そのｆＢＳを利用できるユーザー以外には使えない。他のＭＳユーザーは、利用できないプライベートｆＢＳに接続を試みてしまい、エネルギーと帯域幅を浪費してしまう。プライベートｆＢＳがＭＯＢ＿ＮＢＲ−ＡＤＶメッセージに含まれていなければ、ＭＳ３０６はそのホームｆＢＳ３０４があるか知るために一般的なチャネルスキャンを利用しなければならない。しかし、ＭＳ３０６は、ホームｆＢＳ３０４のＰＨＹパラメータを知らない。ホームｆＢＳ３０４のＰＨＹパラメータを知らなければ、ホームｆＢＳ３０４を特定するのに必要なスキャン時間が長くなりすぎ、高速なシームレスハンドオーバーを実現できない。
【００５７】
それゆえ、帯域幅の使用と無駄な接続の試みを低減するために、ＭＢＳ３０２がブロードキャストするＭＯＢ＿ＮＢＲ−ＡＤＶメッセージからプライベートｆＢＳを除外することが望ましい。これにより、上記の２つの問題が解決する。本発明の様々な実施形態により、ホームｆＢＳ３０４があることをＭＳ３０６に知らしめつつ、高速シームレスハンドオーバーを実現できる。
【００５８】
図３Ａに示した関連付け段階（association  establishment  phase）において、ＭＳ３０６はｆＢＳ３０４がサービスしているものとする。上記の通り一般的に、ＭＳ３０６をホームｆＢＳ３０４（またはその他のサービス中のｆＢＳ）からＭＢＳ３０２にハンドオーバーする手順は、隣接するＭＢＳへの接続に必要な情報を含むＭＯＢ＿ＮＢＲ−ＡＤＶメッセージがあるので、簡単である。しかし、ホームＭＢＳ３０２ａからホームｆＢＳ３０４へのＭＳ３０６のシームレスハンドオーバーを容易にするためには、追加的段階を経なければならない。
【００５９】
図３Ａにおいて、ＭＳ３０６はホームｆＢＳ３０４に接続されており、ホームｆＢＳ３０４のカバレッジエリアを離れようとしていると仮定する。それゆえ、ｆＢＳ３０４から隣接基地局へのハンドオーバーを行わねばならない。この例では、ハンドオーバーはＭＳ３０６のホームＭＢＳ３０２ａに対して行われる。ハンドオーバープロセスにおいて、ｆＢＳ３０４は、ハンドオーバーコンファメーション（ＨＯ＿ＣＮＦ）メッセージを生成し、矢印３０８ａで示したように、ｆＢＳ３０４に関連づけられたＡＳＮゲートウェイ３１０ａに送る。ＷｉＭＡＸフォーラムネットワークアーキテクチャ（リリース１．２、ステージ２とステージ３）では、ＨＯ＿ＣＮＦメッセージにはＭＳ３０６の識別情報が含まれている。ＨＯ＿ＣＮＦメッセージを修正して、ホームｆＢＳ３０４の基地局識別情報等の情報を含める。この情報は、ＰＨＹパラメータと、ＡＳＮゲートウェイ３１０ａにおける関連を生成するオペレーションコードとを含む。ｆＢＳ情報を含む修正ＨＯ＿ＣＮＦメッセージをＨＯ＿ＣＮＦ＊メッセージと表す。生成してｆＢＳ３０４からＡＳＮゲートウェイ３１０ａに送信するには、この修正ＨＯ＿ＣＮＦ＊メッセージであり、上記の修正していないＨＯ＿ＣＮＦメッセージではない。ＨＯ＿ＣＮＦメッセージについて説明したが、ｆＢＳ３０４とＭＳ３０６の識別情報を含むメッセージであればいかなるメッセージであっても利用できる。
【００６０】
ＡＳＮゲートウェイ３１０ａにおいて、ＨＯ＿ＣＮＦ＊メッセージに含まれるオペレーションコードにより、ホームｆＢＳ３０４の情報がＭＳ３０６識別情報と関連づけて記憶される。図示した例では、各基地局は、異なるＡＳＮゲートウェイがサービスしており、ホームｆＢＳ３０４にサービスしているＡＳＮゲートウェイ３１０ａが最初にＨＯ＿ＣＮＦ＊メッセージを受信する。ＡＳＮゲートウェイ３１０ａは、ホームｆＢＳ３０４の識別情報とそのＭＳ３０６との関連とを記憶する。
【００６１】
ホームｆＢＳ３０４とそのＭＳ３０６との関連とに関する情報は、ハンドオーバーを受ける基地局が他のＡＳＮゲートウェイ３１０によりサービスされているときには、そのＡＳＮゲートウェイ（他のＡＳＮゲートウェイ３１０）にも送られる。受け側の基地局は、ターゲット（になる）基地局と呼ぶ。図示した例では、ＡＳＮゲートウェイ３１０ｂがホームＭＢＳ３０２ａと関連づけられている。よって、矢印３０８ｂで示したように、ＨＯ＿ＣＮＦ＊メッセージはＡＳＮゲートウェイ３１０ｂに送信される。ＨＯ＿ＣＮＦ＊メッセージを受信すると、ホームｆＢＳ３０４をＭＳ３０６と関連付ける情報がＡＳＮゲートウェイ３１０ｂに記憶される。矢印３０８ｃで示したように、修正されていないＨＯ＿ＣＮＦメッセージ３１０ｃがＭＢＳ３０２ａに送信され、ｆＢＳ３０４からＭＢＳ３０２ａへのＭＳ３０６のハンドオーバープロセスが完了する。あるいは、実施形態によっては、ＨＯ＿ＣＮＦ＊メッセージをＭＢＳ３０２ａに送信し、関連情報をＡＳＮゲートウェイ３１０に記憶するのに加えて、またはその替わりに、関連情報をＭＢＳ３０２ａに記憶してもよい。よって、矢印３０８ｃで示したメッセージはＨＯ＿ＣＮＦ＊メッセージであってもよい。関連情報は、破棄するまで所定時間記憶される。その所定時間は、他のＨＯ＿ＣＮＦ＊メッセージを受信するとリセットされる。他のＨＯ＿ＣＮＦ＊メッセージを受信しなければ、その所定時間が過ぎると関連情報は破棄される。
【００６２】
図３Ｂは、図３Ａの関連情報（association  information）を利用する方法を示した。ＡＳＮゲートウェイ３１０は、一旦関連情報を取得すると、ＭＳ３０６がホーム基地局に戻ったとき、ＭＳ３０６を認識する。あるいは、実施形態によっては、ＭＢＳ３０２が関連情報を記憶し、ＭＳ３０６がＭＢＳ３０２に戻ると、ＭＢＳ３０２がＭＳ３０６を認識する。関連情報を分散すると、ＭＳ３０６はそのホームＭＢＳ３０２ａに戻ったときに、そのホームｆＢＳ３０４のＰＨＹパラメータを取得でき、ホームｆＢＳ３０４をスキャンでき、最終的にはホームＭＢＳ３０２ａからホームｆＢＳ３０４へのハンドオーバーができる。
【００６３】
この情報配信段階では、ＭＳ３０６はそのホームＭＢＳ３０２によりサービスされる。これは、ＭＳ３０６がホームＭＢＳ３０２のカバレッジエリア内でスイッチオンされたときに起きる。あるいは、ＭＳ３０６が隣接するＭＢＳ３０２からホームＭＢＳ３０２ａにハンドオフされたときに起きる。一例として、このイベントは、ＭＳ３０６のオーナーが仕事や用事から家に戻った時に生じる。いかにＭＳ３０６がＭＢＳ３０２によりサービスされるようになるかに関わらず、以下に説明する方法を行う。
【００６４】
図３Ｂにおいて、ＭＳ３０６は他のＭＢＳ３０２からＭＢＳ３０２ａにハンドオーバーされるものと仮定する。図３Ｂに示したように、ＭＳ３０６はＭＢＳ３０２ｅのカバレッジエリアを離れ、ホームＭＢＳ３０２ａのカバレッジエリアに入る。その前に、標準的なハンドオーバー手順が行われ、隣接するＭＢＳはＭＳ３０６のサービスをホームＭＢＳ３０２ａにハンドオーバーする。図示した例では、ＭＢＳ３０２ｅがハンドオーバー手順を開始する。この手順では、矢印３０８ｄで示したように、ＨＯ＿ＣＮＦメッセージがＭＢＳ３０２ｅからそれにサービスしているＡＳＮゲートウェイ３１０ａに送信される。このＨＯ＿ＣＮＦメッセージは標準的な内容であり、ＭＳ３０６の識別情報を含む。矢印３０８ｂで示したように、ＡＳＮゲートウェイ３１０ａは、ＨＯ＿ＣＮＦメッセージを用いて、ＭＳ３０６の識別情報をＡＳＮゲートウェイ３１０ｂに転送する。ＡＳＮゲートウェイ３１０ｂがハンドオーバーターゲットＭＢＳ３０２ａにサービスしているからである。
【００６５】
ＡＳＮゲートウェイ３１０ｂは、受信したＭＳ３０６の識別情報がＡＳＮゲートウェイ３１０ｂに記憶されているいずれかのＭＳ３０６の識別情報であって、そのＭＳ３０６がホームＭＢＳとしてＭＢＳ３０２ａと関連づけられていることを示すものと一致するかチェックする。図示した例では、このＭＳ３０６の識別情報はＡＳＮゲートウェイ３１０ｂに記憶されている情報と一致する。ＭＳ３０６がホームＭＢＳ３０２ａのＡＳＮゲートウェイ３１０ｂのエントリーと一致すると、次の段階が行われる。
【００６６】
最初に、矢印３０８ｆで示したように、ＡＳＮゲートウェイ３１０ｂは、修正ＨＯ＿ＣＮＦメッセージをホームＭＢＳ３０２ａに送信する。修正ＨＯ＿ＣＮＦメッセージにはホームｆＢＳ３０４に関する情報が含まれ、その情報にはホームｆＢＳ３０４のＰＨＹパラメータと、隣接アドバタイズメント（ＭＯＢ＿ＮＢＲ−ＡＤＶ）メッセージをＭＳ３０６にユニキャストするオペレーションコードとが含まれる。この修正ＨＯ＿ＣＮＦメッセージはＨＯ＿ＣＮＦ＊＊メッセージと表す。
【００６７】
ホームＭＢＳ３０２ａは、ＨＯ＿ＣＮＦ＊＊メッセージを受信すると、カスタム化ＭＯＢ＿ＮＢＲ−ＡＤＶメッセージを作成する。このカスタム化ＭＯＢ＿ＮＢＲ−ＡＤＶメッセージには、ホームｆＢＳ３０４のＰＨＹパラメータが含まれる。矢印３１２で示したように、カスタム化ＭＯＢ＿ＮＢＲ−ＡＤＶメッセージは、ユニキャストメッセージを介してＭＳ３０６に配信されるようにスケジュールされる。ＭＳ３０６は、ユニキャストされたＭＯＢ＿ＮＢＲ−ＡＤＶメッセージを受信すると、そのホームｆＢＳ３０４のスキャンを開始する。ホームｆＢＳ３０４のＰＨＹパラメータを含めることにより、スキャンにかかる時間が短くなる。
【００６８】
実施形態によっては、関連情報（association  information）がＭＢＳ３０２ａにより記憶されていると、ＭＳ３０６のＭＢＳ３０２ａへのハンドオーバー時に、ＭＢＳ３０２ａは、ＭＳ３０６がＭＢＳ３０２ａに記憶されたエントリーであって、ＭＢＳ３０２ａをＭＳ３０６のホームＭＢＳ３０２として示すものと一致するか判断する。一致すると、ＭＢＳ３０２ａは、記憶した関連情報にアクセスして、ホームｆＢＳ３０４のＰＨＹパラメータを含むカスタム化ＭＯＢ＿ＮＢＲ−ＡＤＶメッセージをＭＳ３０６にユニキャストする。
【００６９】
図４Ａと図４Ｂは、スキャン時間を短くして、ＷｉＭＡＸシステムにおけるマクロ基地局とプライベートアクセス可能フェムト基地局との間のシームレスハンドオーバーを実現する方法例を示すフローチャートである。これらの方法は、図３Ａと図３Ｂに示したコンポーネントを参照してプロセスの例を示すものである。図３Ａと図３Ｂに示したように、ＭＢＳ３０２ａのカバレッジエリアはｆＢＳ３０４のカバレッジエリアよりも大きい。よって、ＭＳ３０６は、ＭＢＳ３０２ａのカバレッジエリア内にいても、ｆＢＳ３０４のカバレッジエリア内ではない可能性もある。一般的に、ＭＳ３０６は、最終的にｆＢＳ３０４にハンドオーバーされてサービスを受けるには、ホームｆＢＳ３０４があるかどうかスキャンする必要がある。図４ＡはＭＢＳ３０２ａがトリガーするスキャンプロセスを示し、図４ＢはＭＳ３０６がトリガーするスキャンプロセスを示す。図４ａと図４ｂに示した方法では、図３Ａと図３Ｂで説明したプロセスが行われたものと仮定する。
【００７０】
図４Ａにおいて、ステップ４０２において、ＭＢＳ３０２ａまたはＡＳＮゲートウェイ３１０ｂは、ハンドオーバープロセスに関係する履歴情報を分析する。この情報は、ホームＭＢＳ３０２ａへのハンドオーバーの前にホームｆＢＳ３０４に関連するＭＳ３０６に最後にサービスしていた基地局を含む。または、ホームＭＢＳ３０２ａが、１）ＭＳ３０６からＭＯＢ＿ＭＳＨＯ−ＲＥＱを受信した時、２）ＭＯＢ＿ＢＳＨＯ−ＲＥＱを送信した時、または３）ＭＳ３０６からＭＯＢ＿ＨＯ−ＩＮＤを受信した時のＭＳ３０６のＣＩＮＲレベルを含む。これらのメッセージの一部は、MS３０６がホームｆＢＳ３０４からＭＢＳ３０２ａにハンドオーバーされるハンドオーバープロセス中に送信される。現在のＣＩＮＲレベルが、ＭＳ３０６がホームｆＢＳ３０４からＭＢＳ３０２ａにハンドオーバーされた時のＣＩＮＲレベルと同程度であれば、ＭＳ３０６はホームｆＢＳ３０４に近いと結論してもよいだろう。ＭＳ３０６がホームｆＢＳ３０４に近い場合、ＭＳ３０６のサービスをＭＢＳ３０２ａからホームｆＢＳ３０４にハンドオーバーするのが好ましい。よって、ステップ４０４において、現在のＭＳ３０６のパラメータ、例えばＣＩＮＲレベルを取得する。ステップ４０６において、所望のパラメータが許容できる偏差内（例えば、５％や１０％）にあれば、または標準偏差内にあれば、または記憶している２つのヒストリカルな（historical）ＣＩＮＲレベル内にあれば、ホームＭＢＳ３０２ａは要求されていないＭＯＢ＿ＳＣＮ−ＲＳＰメッセージをＭＳ３０６に送信する。この所定の偏差はＭＳ３０６の期待モビリティに応じて変更してもよい。例えば、ＭＳ３０６のモビリティが高く、ＭＢＳ３０２のサービスエリアを速く動いていると、記憶されたヒストリカルなＣＩＮＲレベルから２σ（two  standard  deviation）のところでスキャンを開始する。一方、ＭＳ３０６のモビリティが低いとき、記憶されたヒストリカルなＣＩＮＲレベルから１σのところでスキャンを開始する。
【００７１】
あるいは、ホームＭＢＳ３０２ａは、簡単な閾値ベースの方法で、要求されていないＭＯＢ＿ＳＣＮ−ＲＳＰメッセージを送信するか決定する。例えば、ホームＭＢＳ３０２ａは、ＭＳ３０６のＣＩＮＲレベルの現在の状態が所定の閾値（例えば、１０ｄＢ）の上か下か判断する。所望のパラメータが許容偏差内になければ、ステップ４０４に戻り、ＭＳ３０６のパラメータをさらに更新する。次に現在のパラメータを読むまでに、例えば１５秒の遅延を実施してもよい。
【００７２】
ステップ４０８において、要求されていないＭＯＢ＿ＳＣＮ−ＲＳＰメッセージをＭＢＳ３０２ａからＭＳ３０６に送信し、ホームｆＢＳ３０４を探すスキャンを開始するように命じる。このメッセージに応じて、ＭＳ３０６は、ステップ４１０において、ｆＢＳ３０４を探すスキャンを開始する。ＭＳ３０６はホームｆＢＳ３０４をスキャンする。ステップ４１０において、ホームｆＢＳ３０４が見つからなければ、ＭＳ３０６はスキャンを継続するか、スキャンプロセスを再開するまで所定時間待つ。ホームｆＢＳ３０４が見つかれば、ステップ４１４に進む。ステップ４１４において、ＭＳ３０６は、それにサービスしているＭＢＳ（この場合、ホームＭＢＳ３０２ａ）に対して、ｆＢＳ３０４のレンジ内にいることを報告する。ステップ４１６において、ハンドオーバープロセスが開始され、ＭＳ３０６のサービスがホームＭＢＳ３０２ａからホームｆＢＳ３０４にハンドオーバーされる。
【００７３】
図４ＢはＭＳ３０６が開始するスキャンプロセスを示すフローチャートである。ステップ４２０において、ＭＳ３０６は、ＭＯＢ＿ＳＣＮ−ＲＥＱメッセージを用いてホームｆＢＳ３０４のチャネルをアクティブにスキャンするように要求する。例えば、ＭＳ３０６は、ホームＭＢＳ３０２ａに入ると、ホームｆＢＳ３０４のスキャンを開始するように要求する。あるいは、ＭＳ３０６は、モビリティが低いと判断し、ｆＢＳ３０４へのハンドオーバーを求める。他の代替的な例として、ＭＳ３０６は、矢印３１２で示したＭＯＢ＿ＮＢＲ−ＡＤＶメッセージを受信すると、チャネルを周期的にスキャンして、ハンドオーバーの可能性をアクティブに探す。アクティブなスキャンには、一般的に、ＭＳ３０６に周波数をサーチさせて基地局があるか調べることも含まれる。任意的に、ステップ４２２において、ホームＭＢＳ３０２ａはイベントトリガーレポートモードを規定するＭＯＮ＿ＳＣＮ−ＲＳＰメッセージで応答してもよい。これにより、ＭＳ３０６が、ホームｆＢＳ３０４が見つからないことを示す報告を送信しなくてよくなり、不必要な帯域幅の使用を回避できる。ステップ４２４において、ＭＳ３０６はｆＢＳ３０４のスキャンを開始する。
【００７４】
ステップ４２６において、ＭＳ３０６は、ｆＢＳ３０４のレンジ内にいるかどうか判断する。ステップ４２８において、ホームｆＢＳ３０６のレンジ内にいなければ、ＭＳ３０６はｆＢＳ３０４のスキャンを継続するか、スキャンプロセスを再開するまで所定時間待つ。ＭＳ３０６は、ｆＢＳ３０４のレンジ内にいれば、ＭＳ３０６にサービスしているＭＢＳ（この場合、ホームＭＢＳ３０２ａ）に対して、ｆＢＳ３０４のレンジ内にいることを報告する。ステップ４３０において、ハンドオーバープロセスが開始され、ＭＳ３０６のサービスがホームＭＢＳ３０２ａからホームｆＢＳ３０４にハンドオーバーされる。
【００７５】
あるタイプのコンポーネントやメッセージを有する様々な実施形態を説明したが、本発明の範囲から逸脱することなく、他の好適なコンポーネントやメッセージのフォーマットを用いることができる。さらに、ＷｉＭＡＸを一例として用いたが、ｆＢＳを利用する他のタイプのワイヤレスネットワークを用いても良い。
【００７６】
なお、以上の開示に関して、以下の付記を記載する。
（付記１）  移動局のサービスをマクロ基地局にハンドオーバーするフェムト基地局のハンドオーバー要求を受け取る段階と、
前記フェムト基地局の識別情報を受け取る段階と、
前記フェムト基地局の識別情報を前記移動局と関連づけて関連情報を生成する段階と、
前記フェムト基地局の識別情報と前記関連情報を記憶する段階とを有する方法。
（付記２）  前記フェムト基地局の識別情報は前記フェムト基地局に関連するＰＨＹパラメータを含む、付記１に記載の方法。
（付記３）  前記フェムト基地局の識別情報と前記関連情報とをアクセスサービスネットワークゲートウェイに記憶する、付記１に記載の方法。
（付記４）  前記フェムト基地局の識別情報と前記関連情報とを前記マクロ基地局に記憶する、付記１に記載の方法。
（付記５）  ＡＳＮゲートウェイにおいてハンドオーバーコンファメーションメッセージを受け取る段階をさらに含み、前記ハンドオーバーコンファメーションメッセージは、前記フェムト基地局の識別情報とＰＨＹパラメータ、及び前記関連情報と前記フェムト基地局の識別情報とを記憶するオペレーションコードとを含む、付記１に記載の方法。
（付記６）  前記フェムト基地局にサービスしている第１のアクセスサービスネットワークゲートウェイに、前記フェムト基地局の識別情報と前記関連情報とを記憶する段階と、
関連情報と識別情報とを、前記フェムト基地局にサービスしている第１のアクセスサービスネットワークゲートウェイから前記マクロ基地局にサービスしている第２のアクセスサービスネットワークゲートウェイに送信する段階とをさらに含む、付記１に記載の方法。
（付記７）  所定時間経過後に前記記憶した識別情報と関連情報とを破棄する段階をさらに含む、付記１に記載の方法。
（付記８）  前記フェムト基地局の識別情報と前記関連情報とをハンドオーバーコンファメーションメッセージで送信する、付記１に記載の方法。
（付記９）  マクロ基地局にハンドオーバーされる移動局のハンドオーバー要求を受け取る段階と、
前記移動局の識別情報を受け取る段階と、
前記移動局の識別情報を、フェムト基地局の識別情報と一移動局の識別情報とを含む記憶された関連情報と比較する段階と、
前記記憶された関連情報を用いて、前記移動局の識別情報が、関連づけられた移動局の識別情報と一致するか判断する段階と、
前記関連づけられたフェムト基地局に関する情報を、前記関連づけられた移動局に送信する段階とを含む、方法。
（付記１０）  ハンドオーバーコンファメーションメッセージを生成する段階をさらに含み、前記ハンドオーバーコンファメーションメッセージは、前記フェムト基地局の識別情報とＰＨＹパラメータ、及び前記識別情報と前記フェムト基地局のＰＨＹパラメータとを送信するオペレーションコードとを含み、
前記フェムト基地局の識別情報とＰＨＹパラメータとを含む隣接アドバタイズメントメッセージを前記関連づけられた移動局に送信する段階とをさらに含む、付記９に記載の方法。
（付記１１）  前記フェムト基地局を探す移動局スキャンを開始する段階と、
前記移動局のサービスを前記マクロ基地局から前記フェムト基地局にハンドオーバーする段階とをさらに含む、付記９に記載の方法。
（付記１２）  現在のパラメータがヒストリカルなハンドオーバーパラメータの所定の偏差内にある時、前記移動局スキャンを開始する、付記１１に記載の方法。
（付記１３）  前記現在のパラメータは前記移動局の現在のＣＩＮＲレベルであり、前記ヒストリカルなハンドオーバーパラメータは、前記移動局が前記フェムト基地局から前記マクロ基地局にハンドオーバーされた時の前記移動局のＣＩＮＲレベルである、付記１２に記載の方法。
（付記１４）  前記フェムト基地局を探す移動局スキャンは前記移動局により開始される、付記９に記載の方法。
（付記１５）  前記フェムト基地局に関する情報は前記フェムト基地局のＰＨＹパラメータを含む、付記９に記載の方法。
（付記１６）  前記フェムト基地局の情報と前記関連情報とをアクセスサービスネットワークゲートウェイから送信する、付記９に記載の方法。
（付記１７）  前記フェムト基地局の識別情報と前記ＰＨＹパラメータとをハンドオーバーコンファメーションメッセージで送信する、付記９に記載の方法。
（付記１８）  第１のアクセスサービスネットワークゲートウェイを有するワイヤレス通信システムであって、
前記第１のアクセスサービスネットワークゲートウェイは、
移動局のサービスをマクロ基地局にハンドオーバーするフェムト基地局のハンドオーバー要求を受け取り、
前記フェムト基地局の識別情報を受け取り、
前記ファムと基地局の識別情報を前記移動局と関連づけて関連情報を生成し、
前記フェムト基地局の識別情報と前記関連情報を記憶する、ワイヤレス通信システム。
（付記１９）  前記第１のアクセスサービスネットワークゲートウェイはさらに、ハンドオーバーコンファメーションメッセージを受け取り、前記ハンドオーバーコンファメーションメッセージは、前記フェムト基地局の識別情報とＰＨＹパラメータ、及び前記関連情報と前記フェムト基地局の識別情報とを記憶するオペレーションコードとを含む、付記１８に記載のシステム。
（付記２０）  前記第１のアクセスサービスネットワークゲートウェイはさらに、関連情報と識別情報とを、前記フェムト基地局にサービスしている第１のアクセスサービスネットワークゲートウェイから前記マクロ基地局にサービスしている第２のアクセスサービスネットワークゲートウェイに送信する、付記１８に記載のシステム。
（付記２１）  アクセスサービスネットワークゲートウェイを有するシステムであって、
前記アクセスサービスネットワークゲートウェイは、
マクロ基地局にハンドオーバーされる移動局のハンドオーバー要求を受け取り、
移動局識別情報を受け取り、
前記移動局識別情報を、記憶された関連情報と比較し、
前記フェムト基地局に関する情報を前記移動局に送信する、システム。
（付記２２）  前記アクセスサービスネットワークゲートウェイはさらに、
前記フェムト基地局を探す移動局スキャンを開始し、
前記移動局を前記マクロ基地局から前記フェムト基地局にハンドオーバーするハンドオーバー要求を処理する、付記２１に記載のシステム。
（付記２３）  前記アクセスサービスネットワークゲートウェイはさらに、ハンドオーバーコンファメーションメッセージを生成、前記ハンドオーバーコンファメーションメッセージは、前記フェムト基地局の識別情報とＰＨＹパラメータ、及び前記フェムト基地局の前記識別情報と前記フェムト基地局のＰＨＹパラメータとをユニキャストするオペレーションコードとを含む、付記２１に記載のシステム。
【符号の説明】
【００７７】
１００  通信システム
１１０  ネットワーク
１２０  マクロ基地局
１３０  中継局
１４０  端末
１５０  ワイヤレス接続
１６０  有線リンク
１７０  ノード
１８０  ネットワークアクセス装置
１９０  フェムト基地局
２００  ワイヤレスネットワーク
２０５  ネットワーク
２１０  マクロ基地局
２１２  プロセッサ
２１４  メモリ
２１６  通信インターフェース
２１７  ラジオ部
２１８  アンテナ
２２２  モデム
２２４、２３２  サーバー
２２６  ＩＳＰゲートウェイ
２３４  ゲートウェイ
２５０  フェムト基地局
２５２  プロセッサ
２５４  メモリ
２５７  ラジオ部
２５８  通信インターフェース
２７０  端末
２７２  プロセッサ
２７４  メモリ
２７７  ラジオ部
２７８  アンテナ
３００  ネットワーク
３０２  マクロ基地局
３０４  フェムト基地局
３０６  移動局
３１０  ＡＳＮゲートウェイ
【図１】
0005293434.tif 000002
【図２】
0005293434.tif 000003
【図３Ａ】
0005293434.tif 000004
【図３Ｂ】
0005293434.tif 000005
【図４Ａ】
0005293434.tif 000006
【図４Ｂ】
0005293434.tif 000007